(57)【特許請求の範囲】
【請求項１】
給餌槽の下半部内側に漏斗状排出部を設け、この排出部の下端開口部に筒状排出体を被せた構成を有する給餌器であって、
上記給餌槽の周面を箱体に固定する一方、上記筒状排出体を上記給餌槽の下側に吊り下げてあることを特徴とする養豚用給餌器。
【請求項２】
給餌槽の下半部内側に漏斗状の排出部を設け、この排出部の下端開口部に外側から筒状排出体を被せた構成を有する給餌器であって、
上記給餌槽の周面を箱体に固定する一方、上記筒状排出体を上記給餌槽の中に設けた懸垂杆に連結して、給餌槽の下側に吊り下げてあり、円錐状部の下端に円板状部を固着した構成を有する餌量調整部材を、当該円錐状部の上端が上記筒状排出体の下端開口部内側に位置するようにして設けたことを特徴とする養豚用給餌器。
【請求項３】
前記排出体の下端周面に棒状の振動ピンを突設して、前記円板状部の周面にＵ字形状のガイド部をその開放端が上向きとなるように立設し、この振動ピンが、ガイド部のＵ字間隙に位置するようにしてあることを特徴とする請求項２に記載の養豚用給餌器。
【発明の詳細な説明】
【０００１】
【発明の属する技術分野】
本発明は、豚に餌を与えるのに好適な養豚用給餌器に関するものである。
【０００２】
【従来の技術】
豚に餌を与えるため、従来から給餌器が用いられている。従来の給餌器は、主として、下部を漸次小径又は幅狭とした給餌槽（ホッパー）を備えたもので、その一例として、図５に示すような給餌器１００がある。
【０００３】
この給餌器１００は、給餌槽１０１と、これを支える支持体１０２及び給餌槽１０１の下側に設けられる餌受台１０３とからなっている。支持体１０２は、餌受台１０３の背面側に立設してあり、支軸１０４ａと外管１０４ｂとよりなり、ハンドル１０５を回転することによって支軸１０４ａが回転し、外管１０４ｂが昇降動するようになっている。外管１０４ａの中間部には、前方水平方向にコの字状アーム１０６を張出して固着してあり、このアーム１０６の両側板部１０６ａ，１０６ａの先端部に穿設した挿通孔にピン１０７、１０７を挿通し、これらピン１０７，１０７により給餌槽１０１を左右から支持してある。
なお、給餌槽１０１の中には、攪拌突起１０８ａを複数固着したブリッジ防止用の攪拌アーム１０８を配設してあるとともに、給餌槽１０１の下端部の揺動範囲を規制する円環状のガイド１０９を配設してある。
【０００４】
【発明が解決しようとする課題】
しかし、上記給餌器１００は、給餌槽１０１と、アーム１０６との連結をピン１０７，１０７によって行なっているため、次のような欠点がある。
先ず、給餌槽１０１がピン１０７，１０７を支点として振子状に揺動するため豚が衝突しただけでも、給餌槽１０１全体が揺動してしまい、不安定である。給餌槽１０１の中に餌を収容すると、餌の重量が支点であるピン１０７，１０７とアーム１０６とに集中するため、これら部分の磨耗が早く、耐久性に乏しいという欠点があった。
【０００５】
次に、給餌槽１０１が、その中心軸線上に支点があるため、給餌槽１０１に餌を収容して前後に揺動させたときに、給餌槽１０１が後方傾斜して静止してしまい、餌のスムーズな排出ができなくなる。また、給餌槽１０１全体を揺動させることになるため、攪拌アーム１０８を配設しなければ、給餌槽１０１下端部で餌がブリッジ状になりやすいという欠点もあつた。さらに、攪拌突起１０８ａを複数固着した攪拌アーム１０８、餌の排出量調整機構等、給餌器１００を構成する部品点数が多いため、製造コストがかかるといった欠点もあった。
【０００６】
そこで、本発明は上記問題点に鑑み、その解決を図るためになされたもので、スムーズな餌の排出を可能とし、構造が簡易な養豚用給餌器を提供することを目的としてなしたものである。
【０００７】
【課題を解決するための手段】
上記課題の解決を図るため、本発明は、給餌槽の下半部内側に漏斗状排出部を設け、この排出部の下端開口部に筒状排出体を被せた構成を有する給餌器であって、上記給餌槽の周面を箱体に固定する一方、上記筒状排出体を上記給餌槽の下側に吊り下げてある養豚用給餌器を特徴とする。このような給餌器とすることによって、豚の衝突による影響を受ける部分を必要最小限にするとともに、餌の重量負荷を給餌槽の周面全体に分散させることができる。
【０００８】
また本発明の養豚用給餌器は、給餌槽の下半部内側に漏斗状排出部を設け、この排出部の下端開口部に筒状排出体を被せた構成を有する給餌器であって、上記給餌槽の周面を箱体に固定する一方、上記筒状排出体を上記給餌槽の中に設けた懸垂杆に連結して、給餌槽の下側に吊り下げてあり、円錐状部の下端に円板状部を固着した構成を有する餌量調整部材を、当該円錐状部の上端が上記筒状排出体の下端開口部内側に位置するようにして設けたものとすることができる。このようにすれば、餌の排出量を効率的に調整することができる。
さらに、前記排出体の下端周面に棒状の振動ピンを突設して、前記円板状部の周面にＵ字形状のガイド部をその開放端が上向きとなるように立設し、この振動ピンが、ガイド部のＵ字間隙に位置するようにしてあるものが好ましい。
【０００９】
【発明の実施の形態】
以下、本発明の養豚用給餌器の実施形態について図面を参照して説明する。
【００１０】
本発明の養豚用給餌器１は、図１に示すように、基台部２の両側端より側壁部３，３を立設すると共に、後端より後壁部４を立設し、さらにこの後壁部４の上端から手前側に張り出す上壁部５を設けることによって箱体をなし、この箱体の上壁部５に給餌槽６を支持させてある。
【００１１】
給餌槽６は、上端を開口した餌の投入孔６ａ、下端を開口した餌の排出口６ｂとし、投入孔６ａから排出口６ｂに向かい漸次縮径する形状としてある。側面中間部分から外側に広がった鍔状アーム６ｃを形成してあり、このアーム６ｃを上壁部５に固定することによって箱体と一体化されている。
給餌槽６の上半部は、投入孔６ａに支持部材７を掛け渡して、この支持部材７の適宜位置に穿設した挿通孔７ａに位置調整部材８を挿通して構成されている。下半部は、内側に漏斗状排出部９を設けてあり、この排出部９の下端開口部９ａに外側から円筒状排出体１０を被せて構成されている。この排出体１０は、排出部９の上端部を給餌槽６の内面に係止させてあるのと異なり、後述する懸垂杆１４の下端部１４ａと、その内面に設けられた突起１０ａとを連結することによって、給餌槽６の下側に吊り下げてある。
【００１２】
位置調整部材８は、雄ネジ部１１ａを形成したボルト１１の頭部１１ｂに円管１２の周壁面を固着し、この円管１２の貫通孔１２ａに折曲端部１３ａを形成したコの字状の折曲軸１３を挿通したものである。このように構成したことで、折曲軸１３の両折曲端部１３ａを支持部材７の両側面に当接させて、位置調整部材８の回転を阻止することができる。位置調整部材８の雄ネジ部１１ａは、懸垂杆１４の上端部に形成した雌ネジ部に螺合し、懸垂杆１４の下端部１４ａに排出体１０の突起１０ａを連結してある。
【００１３】
排出体１０の下側には、餌量調整部材１５が設けられている。この餌量調整部材１５は、図２に示すように、円錐状部１５ａの下端に円板状部１５ｂを固着すると共に、円板状部１５ｂの底面に円筒状の取付脚１５ｃを固着して構成され、この取付脚１５ｃを底皿部２ａに固着することによって固定されている。また、円錐状部１５ａの上端が排出体１０の下端開口部１０ｂの内側に位置するようにしてある。
【００１４】
円錐状部１５ａは、下端を円板状部１５ｂよりも小径としてある。この円板状部１５ｂの周面上には、Ｕ字形状のガイド部１５ｄが開放端を上向きにして固定されており、ガイド部１５ｄのＵ字間隙の間に、排出体１０の下端周面に突設した振動ピン１０ｃが位置するようになっている。なお、ガイド部１５ｄは、給餌槽６の背面側に位置するようにして、固定されている。
【００１５】
本発明の養豚用給餌器１は、以上のような構成であるから、次のように作用する。通常時は、位置調整部材８を中心からずらして配置し、懸垂杆１４を図１（Ｂ）のように傾斜させておく。すると、懸垂杆１４に連結されている排出体１０も傾斜したまま吊り下げ状になる。この状態で給餌槽６内に餌ａを収納すると、餌ａが排出部９を経て排出体１０の中を伝って、排出体１０の開口部１０ｂから排出される。この排出された餌ａは、図２に示すように、餌量調整部材１５の円錐状部１５ａの傾斜周面に沿って流動しつつ、開口部１０ｂと円錐状部１５ａの傾斜周面との間隙からスムーズに排出され、円板状部１５ｂ上に適量堆積する。また餌ａは、円板状部１５ｂから落下し、底皿部２ａ上にも適量堆積する。
【００１６】
この状態で、豚が底皿部２ａ内に鼻、口を突っ込んで、排出体１０に鼻、口を押圧すれば、図３及び図４に示すように、吊り下げ状の排出体１０が前後左右に揺動かつ回動し、これと円錐状部１５ａの傾斜周面との間隙の大きさに変化が生じる。したがって、豚が排出体１０に鼻、口を押圧すれば、これに応じて給餌槽６内の餌ａはよりスムーズに排出され、円板状部１５ｂ上に適量堆積するとともに底皿部２ａ内にも落下する。
【００１７】
こうして、排出体１０が揺動すると、この揺動につれて振動ピン１０ｃがガイド部１５ｄにぶつかって、その衝撃の反作用が排出体１０に加わる。すると、豚による振動に加えて新たな振動作用が排出体１０に加わり、餌ａがより一層スムーズに排出される。こうして、収容された餌ａがブリッジ状になることもなく、したがって、従来の給餌器のように、ブリッジ防止用のアームを設けることを要さない。しかも、排出体１０を支える位置調整部材８を手前側に配置したことによって、給餌槽６の上下中心軸からずれた位置に、排出体１０の支点が位置することになるため、下端開口部１０ｂを手前側に向かせる復元力が常時作用し、豚による振動が加えられた後に、排出体１０が元の定位置に戻るようになる。これで、効率的な給餌を常に行うことができるのである。
【００１８】
このように、排出体１０を吊り下げ状にしたことによって、豚が鼻や口を押圧したときの振動は、排出体１０が前後左右に揺動かつ回動することで吸収され、直接これと別体となった給餌槽６には及ばない。一方、給餌槽６に餌を収容したことによる重量負荷は、排出体１０を含む給餌槽６の周面全体で受けることになる。つまり、豚の衝撃を受ける部分を必要最小限に留めると同時に、餌による重量負荷を給餌槽６の周面全体に分散させている。こうして、給餌器１の耐久性を高めているのである。また、排出体１０と別体となった給餌槽６は、上壁部５に固定してあるから、安定し、それだけ豚の衝突に対する強度を保持することもできる。
【００１９】
給餌は餌量調整部材１５の円板状部１５ｂ及び底皿部２ａにおいて行なわれ、円板状部１５ｂ上の餌ａが減少するに伴い、給餌槽６内の餌ａが自重により順次排出され、円板状部１５ｂ上に適量堆積する。
又、円板状部１５ｂ上又は底皿部２ａ内に餌ａがなくなった時には、豚は臭覚で円板状部１５ｂ上の餌ａを探すから、その際に排出体１０を押圧して給餌槽６より餌ａを排出させる。
【００２０】
位置調整部材８の折曲軸１３の両折曲端部１３ａを上方に回動して支持部材６の両側面から離反させ、位置調整部材８を回転すれば、懸垂杆１４を上下に移動できる。こうして、排出体１０の下端開口部１０ｂと円錐状部１５ａの傾斜周面との間隙の大きさを適宜設定し、底皿部２ａへの餌の排出量を調整することができる。
【００２１】
このとき、円板状部１５ｂ上に適量堆積する餌ａの圧力により、餌排出口６ｂと円錐状部１５ｂの傾斜周面との間隙からの餌ａの排出流量は小となるから、餌ａの流動性の大小にかかわらず、それ程微調整をすることなく餌ａの排出量を比較的簡単に調整できる。
【００２２】
【発明の効果】
本発明の養豚用給餌器によれば、吊り下げ状の排出体の作用によって、餌がブリッジ状となることはなく、給餌槽内の餌は、円錐状部の傾斜周面に沿って流動し、スムーズに排出される。ブリッジ防止用のアームがなくても、餌の排出が効率的に行われる。かかるアームが不要となる分、全体の構造が簡素化され、製造コストの削減に寄与する。
【００２３】
また短期間のうちに餌がスムーズに排出されなくなることもなく、餌排出口において餌が詰まったり、ボタ落ちすることなく常に一定量の餌を良好に排出することができる。
【００２４】
豚の衝撃を直接受けるのは、吊り下げ状の排出体に絞られ、給餌槽全体にまでは及ばない。しかも、収容した餌の重量負荷を、給餌槽の周方向全体で受けるので、それだけ、耐久性を高めることができる。
【００２５】
さらに、円板状部上に適量堆積する餌の圧力により、給餌槽の餌排出口と円錐状部の傾斜周面との間隙からの餌の排出流量は小となるから、微調整をすることなく餌の排出量を比較的簡単に調整することができる。
【図面の簡単な説明】
【図１】本発明の養豚用給餌器の一例を示し、（Ａ）は縦断正面図、（Ｂ）は縦断側面図である。
【図２】養豚用給餌器の要部を拡大して示した斜視図である。
【図３】養豚用給餌器の正面からみた場合の要部の動作説明図である。
【図４】養豚用給餌器の側面からみた場合の要部の動作説明図である。
【図５】従来の養豚用給餌器の一例を示し、（Ａ）は縦断正面図、（Ｂ）は縦断側面図である。
【符号の説明】
１    養豚用給餌器
６    給餌槽
6a    投入口
6b    排出口
８    位置調整部材
９    漏斗状排出部
10    円筒状排出体
10c   振動ピン
14    懸垂杆
15    餌量調整部材
15a   円錐状部
15b   円板状部
15d   ガイド部
【図１】
0003825115.tif 000002
【図２】
0003825115.tif 000003
【図３】
0003825115.tif 000004
【図４】
0003825115.tif 000005
【図５】
0003825115.tif 000006